(57)【特許請求の範囲】
【請求項１】
トイレルームの床に排水溝が設けられており、
該排水溝の両側が床スラブとなっており、
該排水溝を跨いで、該床スラブ間に、短管挿通用開口を有するプレートが設置されており、
該プレート上に、該短管挿通用開口を取り囲む台座が設置されており、
該台座及び該短管挿通用開口を通って短管が設けられており、
管状部及び該管状部から拡開する鍔部を有する便器接続用排水ソケットの該管状部が該短管に上方から差し込まれると共に、該鍔部が該台座の上面に配置されており、
該プレート上及び該プレートの周囲の床スラブ上にモルタル層が形成されており、
該モルタル層上に仕上げ層が形成されており、
該仕上げ層上に、排水口を前記排水ソケットに係合させて洋風便器が設置されていることを特徴とする便器設置構造。
【請求項２】
請求項１の便器設置構造を構築するための便器設置方法であって、
前記台座、短管及び排水ソケットを予め一体化させて一体物としておき、
前記排水溝を跨いで、前記床スラブ間に前記プレートを設置し、
次いで、前記短管を前記短管挿通用開口に挿通して前記一体物を該プレート上に設置し、前記台座を該プレートに固定し、
次いで、該プレート上及び該プレートの周囲の床スラブ上に前記モルタル層を形成し、
次いで、該モルタル層上に前記仕上げ層を形成し、
該仕上げ層上に、排水口を前記排水ソケットに係合させて洋風便器を設置することを特徴とする便器設置方法。
【請求項３】
請求項１の便器設置構造を構築するための便器設置方法であって、
前記プレート、台座、短管及び排水ソケットを予め一体化させて一体物としておき、
前記排水溝を跨いで、前記床スラブ間に該プレートを設置し、
次いで、該プレート上及び該プレートの周囲の床スラブ上に前記モルタル層を形成し、
次いで、該モルタル層上に前記仕上げ層を形成し、
該仕上げ層上に、排水口を前記排水ソケットに係合させて洋風便器を設置することを特徴とする便器設置方法。
【請求項４】
請求項１の便器設置構造を構築するための便器設置方法であって、
前記台座及び短管を予め一体化させて一体物としておき、
前記排水溝を跨いで、前記床スラブ間に前記プレートを設置し、
次いで、前記短管を前記短管挿通用開口に挿通して前記一体物を該プレート上に設置し、前記台座を該プレートに固定し、
次いで、前記排水ソケットの前記管状部を該短管に上方から差し込むと共に、前記鍔部を該台座の上面に配置して該排水ソケットを該台座に固定し、
次いで、該プレート上及び該プレートの周囲の床スラブ上に前記モルタル層を形成し、
次いで、該モルタル層上に前記仕上げ層を形成し、
該仕上げ層上に、排水口を前記排水ソケットに係合させて洋風便器を設置することを特徴とする便器設置方法。
【請求項５】
請求項１の便器設置構造を構築するための便器設置方法であって、
前記プレート、台座及び短管を予め一体化させて一体物としておき、
前記排水溝を跨いで、前記床スラブ間に該プレートを設置し、
次いで、前記排水ソケットの前記管状部を該短管に上方から差し込むと共に、前記鍔部を該台座の上面に配置して該排水ソケットを該台座に固定し、
次いで、該プレート上及び該プレートの周囲の床スラブ上に前記モルタル層を形成し、
次いで、該モルタル層上に前記仕上げ層を形成し、
該仕上げ層上に、排水口を前記排水ソケットに係合させて洋風便器を設置することを特徴とする便器設置方法。
【請求項６】
トイレルームの床に排水溝が設けられており、
該排水溝の両側が床スラブとなっており、
該排水溝を跨いで、該床スラブ間に、和風便器係合用開口を有するプレートが設置されており、
外周囲に周設されたフランジを有する和風便器が該開口に係合され、
該プレート上及び該プレートの周囲の床スラブ上にモルタル層が形成されており、
該モルタル層上に仕上げ層が形成されており、
該仕上げ層上に該フランジを配置させて該和風便器が設置されている便器設置構造を構築するための便器設置方法であって、
前記フランジと前記プレートとの間に充填した接着剤によって該和風便器とプレートとを予め一体化させて一体物としておき、
前記排水溝を跨いで、前記床スラブ間に該プレートを設置し、
次いで、該プレート上及び該プレートの周囲の床スラブ上に前記モルタル層を形成し、
次いで、該モルタル層上に前記仕上げ層を形成することを特徴とする便器設置方法。
【発明の詳細な説明】
【技術分野】
【０００１】
本発明は、トイレルームに洋風便器を設置した構造及びそのための方法に関する。また、本発明は、和風便器を設置する方法に関する。
法に関する。
【背景技術】
【０００２】
一般住宅やオフィスビル等において、トイレルームの床面に排水ソケットを設置しておき、洋風便器の排水口をこの排水ソケットの上向きの嵌合口に上方から差し込むようにして洋風便器をトイレルーム床面に設置した構造は周知である（例えば特開２０００−２６５５３０号）。この排水ソケットは、トイレルームの床等の排水管に接続されており、洋風便器から排出される汚水は、その排水口から排水ソケットを介して排水管に流出する。
【０００３】
高速道路のサービスエリア等では、床に排水溝を設置すると共に、この排水溝を覆蓋するようにコンクリート床スラブを設け、この排水溝へ汚水を排出するように便器を設置することが行われている。
【０００４】
洋風便器の場合であれば、コンクリート床スラブに小開口を設け、この小開口に排水ソケットを差し込んで設置し、この排水ソケットに排水口を接続するように洋風便器を設置することが行われている。
【０００５】
和風便器の場合であれば、コンクリート床スラブに和風便器嵌合用の開口を設け、この開口に和風便器を嵌合させて設置することが行われている。
【０００６】
なお、上記の排水溝は、例えば、Ｕバートと称されるＵ字形のコンクリート製品を地盤などに設置することにより構築される。床スラブは、地盤などの上にコンクリートを打設することにより構築される。
【特許文献１】特開２０００−２６５５３０号
【発明の開示】
【発明が解決しようとする課題】
【０００７】
上記のように排水溝を覆蓋する床スラブ上に便器を設置した既存のトイレにおいて改修を行う場合、排水ソケットと小開口との間のシールや、和風便器と開口との間のシールが難しい。即ち、新設のサービスエリア等であれば作業員が排水溝内に入って床スラブの下側から作業し、十分にシールすることができるが、既存トイレの改修の場合には、かかる作業はできない。シールが不十分であると、排水ソケットの脱落や、排水溝から臭気が漏れ出てくるなどの不具合が生じる。
【０００８】
本発明は、既存の排水溝を有したタイプのトイレルームにおいて、床の上側からの施工作業だけで便器を容易に、しかもシール性よく設置することができる便器設置構造及びそのための方法を提供することを目的とする。
【課題を解決するための手段】
【０００９】
本発明（請求項１）の便器設置構造は、トイレルームの床に排水溝が設けられており、該排水溝の両側が床スラブとなっており、該排水溝を跨いで、該床スラブ間に、短管挿通用開口を有するプレートが設置されており、該プレート上に、該短管挿通用開口を取り囲む台座が設置されており、該台座及び該短管挿通用開口を通って短管が設けられており、管状部及び該管状部から拡開する鍔部を有する便器接続用排水ソケットの該管状部が該短管に上方から差し込まれると共に、該鍔部が該台座の上面に配置されており、該プレート上及び該プレートの周囲の床スラブ上にモルタル層が形成されており、該モルタル層上に仕上げ層が形成されており、該仕上げ層上に、排水口を前記排水ソケットに係合させて洋風便器が設置されていることを特徴とするものである。
【００１０】
本発明（請求項２）の便器設置方法は、請求項１の便器設置構造を構築するための便器設置方法であって、前記台座、短管及び排水ソケットを予め一体化させて一体物としておき、前記排水溝を跨いで、前記床スラブ間に前記プレートを設置し、次いで、前記短管を前記短管挿通用開口に挿通して前記一体物を該プレート上に設置し、前記台座を該プレートに固定し、次いで、該プレート上及び該プレートの周囲の床スラブ上に前記モルタル層を形成し、次いで、該モルタル層上に前記仕上げ層を形成し、該仕上げ層上に、排水口を前記排水ソケットに係合させて洋風便器を設置することを特徴とするものである。
【００１１】
本発明（請求項３）の便器設置方法は、請求項１の便器設置構造を構築するための便器設置方法であって、前記プレート、台座、短管及び排水ソケットを予め一体化させて一体物としておき、前記排水溝を跨いで、前記床スラブ間に該プレートを設置し、次いで、該プレート上及び該プレートの周囲の床スラブ上に前記モルタル層を形成し、次いで、該モルタル層上に前記仕上げ層を形成し、該仕上げ層上に、排水口を前記排水ソケットに係合させて洋風便器を設置することを特徴とするものである。
【００１２】
本発明（請求項４）の便器設置方法は、請求項１の便器設置構造を構築するための便器設置方法であって、前記台座及び短管を予め一体化させて一体物としておき、前記排水溝を跨いで、前記床スラブ間に前記プレートを設置し、次いで、前記短管を前記短管挿通用開口に挿通して前記一体物を該プレート上に設置し、前記台座を該プレートに固定し、次いで、前記排水ソケットの前記管状部を該短管に上方から差し込むと共に、前記鍔部を該台座の上面に配置して該排水ソケットを該台座に固定し、次いで、該プレート上及び該プレートの周囲の床スラブ上に前記モルタル層を形成し、次いで、該モルタル層上に前記仕上げ層を形成し、該仕上げ層上に、排水口を前記排水ソケットに係合させて洋風便器を設置することを特徴とするものである。
【００１３】
本発明（請求項５）の便器設置方法は、請求項１の便器設置構造を構築するための便器設置方法であって、前記プレート、台座及び短管を予め一体化させて一体物としておき、前記排水溝を跨いで、前記床スラブ間に該プレートを設置し、次いで、前記排水ソケットの前記管状部を該短管に上方から差し込むと共に、前記鍔部を該台座の上面に配置して該排水ソケットを該台座に固定し、次いで、該プレート上及び該プレートの周囲の床スラブ上に前記モルタル層を形成し、次いで、該モルタル層上に前記仕上げ層を形成し、該仕上げ層上に、排水口を前記排水ソケットに係合させて洋風便器を設置することを特徴とするものである。
【００１４】
本発明（請求項６）の便器設置方法は、トイレルームの床に排水溝が設けられており、該排水溝の両側が床スラブとなっており、該排水溝を跨いで、該床スラブ間に、和風便器係合用開口を有するプレートが設置されており、外周囲に周設されたフランジを有する和風便器が該開口に係合され、該プレート上及び該プレートの周囲の床スラブ上にモルタル層が形成されており、該モルタル層上に仕上げ層が形成されており、該仕上げ層上に該フランジを配置させて該和風便器が設置されている便器設置構造を構築するための便器設置方法であって、前記フランジと前記プレートとの間に充填した接着剤によって該和風便器と該プレートとを予め一体化させて一体物としておき、前記排水溝を跨いで、前記床スラブ間に該プレートを設置し、次いで、該プレート上及び該プレートの周囲の床スラブ上に前記モルタル層を形成し、次いで、該モルタル層上に前記仕上げ層を形成することを特徴とするものである。
【発明の効果】
【００１５】
本発明（請求項１〜５）の洋風便器設置構造及び方法にあっては、排水溝を跨ぐようにプレートが設置され、その上側に台座を介して洋風便器が設置される。この台座とプレートの短管挿通用開口を通って短管が設けられ、排水ソケットの管状部が該短管に上方から差し込まれると共に、該排水ソケットの鍔部が台座の上面に配置される。
【００１６】
かかる本発明（請求項１〜５）の洋風便器設置構造及び方法によると、該台座と短管とを予め接着材によって一体化させておくことができる。これにより、該短管の外周面と台座の内周面との間を十分にシールすることができる。
【００１７】
また、床の上側からの作業だけでプレートなどの全ての資材と洋風便器とを設けることができる。
【００１８】
請求項２の洋風便器設置方法によれば、台座、短管及び排水ソケットを予め一体化させて一体物としておくため、この台座の内周面と短管の外周面との間、該短管の内周面と排水ソケットの管状部の外周面との間、並びに該台座の上面と排水ソケットの鍔部との間をそれぞれ十分にシールすることができる。
【００１９】
請求項３の洋風便器設置方法によれば、プレート、台座、短管及び排水ソケットを予め一体化させて一体物としておくため、このプレートと台座との間、該プレートの開口及び台座の内周面と短管の外周面との間、該短管の内周面と排水ソケットの管状部の外周面との間、並びに該台座の上面と排水ソケットの鍔部との間をそれぞれ十分にシールすることができる。
【００２０】
請求項４の洋風便器設置方法によれば、台座及び短管を予め一体化させて一体物としておくため、この台座の内周面と短管の外周面との間を十分にシールすることができる。
【００２１】
請求項５の洋風便器設置方法によれば、プレート、台座及び短管を予め一体化させて一体物としておくため、このプレートと台座との間、並びに該プレートの開口及び台座の内周面と短管の外周面との間をそれぞれ十分にシールすることができる。
【００２２】
本発明（請求項６）の和風便器設置方法によると、プレートを排水溝に設置するのに先立って和風便器とプレートとを一体化しておくため、和風便器外周囲とプレートの開口との間のシールを十分に行うことができる。
【００２３】
また、床の上側からの作業だけでプレートなどの全ての資材と和風便器とを設けることができる。
【発明を実施するための最良の形態】
【００２４】
以下、図面を参照して本発明の実施の形態について説明する。
【００２５】
［請求項１の実施の形態に係る洋風便器設置構造］  
第１図は請求項１の実施の形態に係る洋風便器設置構造を備えたトイレルームの断面図、第２図は第１図の洋風便器設置構造の断面図、第３図は第１図の洋風便器設置構造を構成するプレート２０、台座２３、短管２５及び排水ソケット２７の分解斜視図である。
【００２６】
この実施の形態では、トイレルームの床Ｆ上に洋風便器１が設置されている。
【００２７】
第１図に示すように、トイレルームの床Ｆに排水溝１０が設けられており、該床Ｆのうち排水溝１０の両側はそれぞれ床スラブ１１となっている。
【００２８】
この実施の形態では、該排水溝１０は、Ｕバートと称されるＵ字形のコンクリート製品をトイレルーム下の地盤に設置することにより構築されている。また、この排水溝１０の両側の床スラブ１１は、それぞれ、トイレルーム下の地盤上にコンクリートを打設することにより構築されている。この排水溝１０の両側の床スラブ１１の上面同士は略同一レベルとなっている。
【００２９】
双方の床スラブ１１の排水溝１０に臨む端面同士の間隔Ｗ（第１図）は、２５０〜３００ｍｍであることが好ましい。
【００３０】
この実施の形態では、各床スラブ１１の排水溝１０側の縁部に沿って、それぞれ、各床スラブ１１の上面よりも一段低い凹段部１１ａが形成されている。該凹段部１１ａは各床スラブ１１の排水溝１０側の端面に臨んでいる。双方の床スラブ１１の凹段部１１ａの底面同士は略同一レベルとなっている。各床スラブ１１の上面から該凹段部１１ａの底面までの深さＤ（第２図）は、１５〜５０ｍｍ、特に２０〜３０ｍｍであることが好ましい。
【００３１】
該排水溝１０を跨いで、床スラブ１１，１１間にプレート２０が設置されている。第３図に示すように、この実施の形態では、該プレート２０は略長方形状のものとなっている。
【００３２】
この実施の形態では、該プレート２０は、その長手方向を排水溝１０の延在方向と略平行方向として、上方から該排水溝１０を覆蓋するように配置され、その短手方向両端側の長側辺がそれぞれ該排水溝１０の両側の床スラブ１１の凹段部１１ａに重ね合わされている。第２図の通り、このプレート２０の長側辺は、それぞれ、接着剤２１により該凹段部１１ａの底面に接着されている。
【００３３】
第３図の通り、このプレート２０の中央付近には、短管挿通用開口２２が設けられている。
【００３４】
このプレート２０は、洋風便器１や便器使用者の重量などの床上荷重を支えうる強度及び剛性を有したものとなっている。このプレート２０としては、スチールワイヤやスチールメッシュ等の補強材が埋設されることにより補強された高強度コンクリート板が好適である。ただし、プレート２０の材質はこれに限定されない。
【００３５】
このプレート２０の厚みＴ１（第２図）は、１０〜５０ｍｍ、特に１５〜２０ｍｍであることが好ましい。
【００３６】
このプレート２０上に、該開口２２を取り囲むように台座２３が設置され、接着剤（図示略）により該プレート２０に接着されている。第３図に示すように、この実施の形態では、該台座２３は、開口２２と略同一の開口径及び開口形状の内孔２４を有する環形平板状のものであり、該内孔２４が開口２２と略同心状に重なるように配置されている。この台座２３の厚みＴ２（第２図）は、床スラブ１１の凹段部１１ａの深さＤと後述の仕上げ層３３の厚みＴ３との和からプレート２０の厚みＴ１を差し引いた値と略等しい。
【００３７】
この実施の形態では、該台座２３も、プレート２０と同様の高強度コンクリート板よりなる。ただし、台座２３の材質はこれに限定されない。
【００３８】
このプレート２０と台座２３とを接着した接着剤は、該内孔２４及び開口２２の周囲の全周にわたって連続して設けられており、この接着剤により、該台座２３の下面とプレート２０の上面との間がシールされている。
【００３９】
該内孔２４及び開口２２を通って短管２５が設けられている。この短管２５の外周面と内孔２４及び開口２２の内周面との間には、これらの全周にわたって接着材２６が充填されている。この接着材２６により、該短管２５が台座２３及びプレート２０に接着されると共に、該短管２５の外周面と内孔２４及び開口２２の内周面との間がシールされている。この短管２５は、上端が台座２３の上面と略同一レベルとなるように配置されている。
【００４０】
台座２３上に、この短管２５に上方から嵌合した排水ソケット２７が設置されている。この排水ソケット２７は、管状部２８と、該管状部２８の軸心方向の一端側（設置時の上端側）から放射方向に拡開する鍔部２９とを有している。該管状部２８は、外径が短管２５の内径と略同等かそれよりも小径となっている。
【００４１】
この管状部２８が上方から短管２５に差し込まれると共に、鍔部２９が台座２３の上面に配置されている。該鍔部２９にはビス挿通孔３０（第３図）が設けられており、このビス挿通孔３０を介して該鍔部２９が台座２３にビス（図示略）留めされている。第３図の符号３１は、この鍔部２９に設けられた、便器固定用ビスが挿通されるビス挿通孔を示している。
【００４２】
この実施の形態では、第２図の通り、該鍔部２９の下面と台座２３の上面との間にも接着剤２６が設けられている。この接着剤２６は、該鍔部２９の下面の全周にわたって連続して設けられており、この接着剤２６により、該鍔部２９の下面と台座２３の上面との間がシールされている。
【００４３】
台座２３の周囲のプレート２０の上側及び各床スラブ１１の凹段部１１ａ内を埋めるようにモルタル層３２が形成され、このモルタル層３２の上面及び各床スラブ１１の上面を覆うように仕上げ層３３が形成されている。この実施の形態では、該仕上げ層３３はタイル（符号略）張りにより形成されている。第２図の通り、この仕上げ層３３は、台座２３の上面と略面一状に形成されている。
【００４４】
この仕上げ層３３上に洋風便器１が設置されている。第２図の通り、この洋風便器１の排水口１ａが上方から排水ソケット２７の管状部２８に嵌合している。この排水口１ａの外周面と管状部２８の内周面との間がシールされている。
【００４５】
洋風便器１は、前記鍔部２９のビス挿通孔３１を介して台座２３にビス（図示略）留めされている。なお、洋風便器１の固定方法はこれに限定されない。
【００４６】
以下に、第４〜１１図を参照してこの洋風便器設置構造の構築方法について説明する。
【００４７】
［請求項２の実施の形態に係る洋風便器設置方法］  
第４，５図は、請求項２の実施の形態に係る洋風便器設置方法を示す。第４図は台座２３、短管２５及び排水ソケット２７を一体化させた一体物Ｕ１とプレート２０との分解斜視図、第５図はこの一体物Ｕ１をプレート２０上に設置する直前のトイレルームの断面図である。
【００４８】
この実施の形態では、予め、台座２３、短管２５及び排水ソケット２７を一体化させて一体物Ｕ１としておく。
【００４９】
この場合、まず、短管２５の上端側を台座２３の内孔２４に差し込んで接着剤２６により接着する。次いで、排水ソケット２７の管状部２８を上方から短管２５に差し込みつつ該排水ソケット２７の鍔部２９を台座２３の上面に重ねてこれらを接着剤２６により接着する。このとき、短管２５の外周面と内孔２４の内周面との間、並びに鍔部２９の下面と台座２３の上面との間に、これらの全周にわたって接着剤２６を充填し、該接着剤２６によりこれらの間をシールする。その後、ビス挿通孔３０を介して該鍔部２９を台座２３にビス（図示略）留めすることにより、一体物Ｕ１が構成される。
【００５０】
トイレルームに洋風便器１を設置するに当っては、第５図の通り、排水溝１０を跨ぐように床スラブ１１，１１間にプレート２０を設置し、該プレート２０の短手方向両端側の長側辺をそれぞれ上方から各床スラブ１１の凹段部１１ａに重ねて接着剤２１で接着する。
【００５１】
次に、短管２５の下端側を上方からプレート２０の開口２２に差し込みつつ前記一体物Ｕ１をプレート２０上に配置し、接着剤（図示略）により台座２３をプレート２０の上面に接着する。この際、台座２３の下面とプレート２０の上面との間に、該内孔２４及び開口２２の周囲の全周にわたって接着剤を充填し、この接着剤により該台座２３の下面とプレート２０の上面との間をシールする。
【００５２】
その後、台座２３の周囲のプレート２０の上側及び各床スラブ１１の凹段部１１ａ内を埋めるようにモルタル層３２を形成する。次いで、このモルタル層３２の上面及び各床スラブ１１の上面を覆うように仕上げ層３３を形成する。
【００５３】
その後、洋風便器１の排水口１ａを上方から排水ソケット２７の管状部２８に嵌合させつつ、該洋風便器１を仕上げ層３３の上側に配置する。そして、この洋風便器１を、排水ソケット２７の鍔部２９のビス挿通孔３１を介して台座２３にビス（図示略）留めする。
【００５４】
これにより、第１，２図に示す洋風便器設置構造が構築される。
【００５５】
以上のように、この洋風便器設置構造及び方法によると、台座２３、短管２５及び排水ソケット２７を予め一体化させて一体物Ｕ１としておくため、この台座２３の内孔２４の内周面と短管２５の外周面との間、並びに該台座２３の上面と排水ソケット２７の鍔部２９との間をそれぞれ十分にシールすることができる。
【００５６】
また、床Ｆの上側からの作業だけでプレート２０等の全ての資材と洋風便器１とを設けることができる。
【００５７】
これにより、作業員が排水溝１０内に入って床スラブ１１の下側からシール作業を行ことなく、床Ｆの上側からの施工作業だけで洋風便器１を容易に、しかもシール性よく設置することができる。
【００５８】
［請求項３の実施の形態に係る洋風便器設置方法］  
第６，７図は、請求項３の実施の形態に係る便器設置方法を示す。第６図はプレート２０、台座２３、短管２５及び排水ソケット２７を一体化させた一体物Ｕ２の斜視図、第５図はこの一体物Ｕ２を床スラブ１１，１１間に設置する直前のトイレルームの断面図である。
【００５９】
この実施の形態では、予め、プレート２０、台座２３、短管２５及び排水ソケット２７を一体化させて一体物Ｕ２としておく。
【００６０】
この場合、まず、内孔２４と開口２２とが同心状に重なるように台座２３をプレート２０上に配置して接着剤（図示略）により該台座２３をプレート２０の上面に接着する。次いで、短管２５を該内孔２４及び開口２２に差し込んで接着剤２６により接着する。その後、排水ソケット２７の管状部２８を上方から短管２５に差し込みつつ該排水ソケット２７の鍔部２９を台座２３の上面に重ねてこれらを接着剤２６により接着する。このとき、台座２３の下面とプレート２０の上面との間、短管２５の外周面と内孔２４の内周面との間、並びに鍔部２９の下面と台座２３の上面との間に、それぞれ、これらの全周にわたって接着剤を充填し、該接着剤によりこれらの間をシールする。その後、ビス挿通孔３０を介して該鍔部２９を台座２３にビス（図示略）留めすることにより、一体物Ｕ２が構成される。
【００６１】
トイレルームに洋風便器１を設置するに当っては、第７図の通り、排水溝１０を跨ぐように床スラブ１１，１１間にプレート２０を設置し、該プレート２０の短手方向両端側の長側辺をそれぞれ上方から各床スラブ１１の凹段部１１ａに重ねて接着剤２１で接着する。なお、この実施の形態では、プレート２０、台座２３、短管２５及び排水ソケット２７を一体化させて一体物Ｕ２としているので、プレート２０を床スラブ１１，１１間に設置する一工程にてこれらの全ての資材２０，２３，２５，２７の設置が完了する。
【００６２】
その後、台座２３の周囲のプレート２０の上側及び各床スラブ１１の凹段部１１ａ内を埋めるようにモルタル層３２を形成する。次いで、このモルタル層３２の上面及び各床スラブ１１の上面を覆うように仕上げ層３３を形成する。
【００６３】
その後、洋風便器１の排水口１ａを上方から排水ソケット２７の管状部２８に嵌合させつつ、該洋風便器１を仕上げ層３３の上側に配置する。そして、この洋風便器１を、排水ソケット２７の鍔部２９のビス挿通孔３１を介して台座２３にビス（図示略）留めする。
【００６４】
これにより、第１，２図に示す洋風便器設置構造が構築される。
【００６５】
以上のように、この洋風便器設置構造及び方法によっても、プレート２０、台座２３、短管２５及び排水ソケット２７を予め一体化させて一体物Ｕ２としておくため、このプレート２０と台座２３との間、内孔２４及び開口２２の内周面と短管２５の外周面との間、並びに台座２３の上面と鍔部２９との間をそれぞれ十分にシールすることができる。
【００６６】
また、床Ｆの上側からの作業だけでプレート２０等の全ての資材と洋風便器１とを設けることができる。
【００６７】
これにより、作業員が排水溝１０内に入って床スラブ１１の下側からシール作業を行ことなく、床Ｆの上側からの施工作業だけで洋風便器１を容易に、しかもシール性よく設置することができる。
【００６８】
しかも、この実施の形態では、プレート２０を床スラブ１１，１１間に設置する一工程にてこれらの全ての資材２０，２３，２５，２７の設置が完了するため、施工作業を迅速に行うことができる。
【００６９】
［請求項４の実施の形態に係る洋風便器設置方法］  
第８，９図は、請求項４の実施の形態に係る洋風便器設置方法を示す。第８図は台座２３及び短管２５を一体化させた一体物Ｕ３と、プレート２０及び排水ソケット２７との分解斜視図、第９図はこの一体物Ｕ３をプレート２０上に設置する直前のトイレルームの断面図である。
【００７０】
この実施の形態では、予め、台座２３及び短管２５を一体化させて一体物Ｕ３としておく。
【００７１】
この場合、短管２５の上端側を台座２３の内孔２４に差し込んで接着剤２６により接着する。このとき、短管２５の外周面と内孔２４の内周面との間に、これらの全周にわたって接着剤２６を充填し、該接着剤２６によりこれらの間をシールする。これにより、一体物Ｕ３が構成される。
【００７２】
トイレルームに洋風便器１を設置するに当っては、第９図の通り、排水溝１０を跨ぐように床スラブ１１，１１間にプレート２０を設置し、該プレート２０の短手方向両端側の長側辺をそれぞれ上方から各床スラブ１１の凹段部１１ａに重ねて接着剤２１で接着する。
【００７３】
次に、短管２５の下端側を上方からプレート２０の開口２２に差し込みつつ前記一体物Ｕ３をプレート２０上に配置し、接着剤（図示略）により台座２３をプレート２０の上面に接着する。この際、台座２３の下面とプレート２０の上面との間に、該内孔２４及び開口２２の周囲の全周にわたって接着剤を充填し、この接着剤により該台座２３の下面とプレート２０の上面との間をシールする。
【００７４】
次いで、排水ソケット２７の管状部２８を上方から短管２５に差し込みつつ該排水ソケット２７の鍔部２９を台座２３の上面に重ねてこれらを接着剤２６により接着する。このとき、鍔部２９の下面と台座２３の上面との間に、これらの全周にわたって接着剤２６を充填し、該接着剤２６によりこれらの間をシールする。その後、ビス挿通孔３０を介して該鍔部２９を台座２３にビス（図示略）留めする。
【００７５】
その後、台座２３の周囲のプレート２０の上側及び各床スラブ１１の凹段部１１ａ内を埋めるようにモルタル層３２を形成する。次いで、このモルタル層３２の上面及び各床スラブ１１の上面を覆うように仕上げ層３３を形成する。
【００７６】
その後、洋風便器１の排水口１ａを上方から排水ソケット２７の管状部２８に嵌合させつつ、該洋風便器１を仕上げ層３３の上側に配置する。そして、この洋風便器１を、排水ソケット２７の鍔部２９のビス挿通孔３１を介して台座２３にビス（図示略）留めする。
【００７７】
これにより、第１，２図に示す洋風便器設置構造が構築される。
【００７８】
以上のように、この洋風便器設置構造及び方法によっても、台座２３及び短管２５を予め一体化させて一体物Ｕ３としておくため、この台座２３の内孔２４の内周面と短管２５の外周面との間を十分にシールすることができる。
【００７９】
また、床Ｆの上側からの作業だけでプレート２０等の全ての資材と洋風便器１とを設けることができる。
【００８０】
これにより、作業員が排水溝１０内に入って床スラブ１１の下側からシール作業を行ことなく、床Ｆの上側からの施工作業だけで洋風便器１を容易に、しかもシール性よく設置することができる。
【００８１】
［請求項５の実施の形態に係る洋風便器設置方法］  
第１０，１１図は、請求項５の実施の形態に係る洋風便器設置方法を示す。第１０図はプレート２０、台座２３及び短管２５を一体化させた一体物Ｕ４と排水ソケット２７との分解斜視図、第１１図はこの一体物Ｕ４を床スラブ１１，１１間に設置する直前のトイレルームの断面図である。
【００８２】
この実施の形態では、予め、プレート２０、台座２３及び短管２５を一体化させて一体物Ｕ４としておく。
【００８３】
この場合、まず、内孔２４と開口２２とが同心状に重なるように台座２３をプレート２０上に配置して接着剤（図示略）により該台座２３をプレート２０の上面に接着する。次いで、短管２５を該内孔２４及び開口２２に差し込んで接着剤２６により接着する。このとき、台座２３の下面とプレート２０の上面との間、並びに短管２５の外周面と内孔２４の内周面との間に、それぞれ、これらの全周にわたって接着剤を充填し、該接着剤によりこれらの間をシールする。これにより、一体物Ｕ４が構成される。
【００８４】
トイレルームに洋風便器１を設置するに当っては、第１１図の通り、排水溝１０を跨ぐように床スラブ１１，１１間にプレート２０を設置し、該プレート２０の短手方向両端側の長側辺をそれぞれ上方から各床スラブ１１の凹段部１１ａに重ねて接着剤２１で接着する。
【００８５】
次いで、排水ソケット２７の管状部２８を上方から短管２５に差し込みつつ該排水ソケット２７の鍔部２９を台座２３の上面に重ねてこれらを接着剤２６により接着する。このとき、鍔部２９の下面と台座２３の上面との間に、これらの全周にわたって接着剤２６を充填し、該接着剤２６によりこれらの間をシールする。その後、ビス挿通孔３０を介して該鍔部２９を台座２３にビス（図示略）留めする。
【００８６】
その後、台座２３の周囲のプレート２０の上側及び各床スラブ１１の凹段部１１ａ内を埋めるようにモルタル層３２を形成する。次いで、このモルタル層３２の上面及び各床スラブ１１の上面を覆うように仕上げ層３３を形成する。
【００８７】
その後、洋風便器１の排水口１ａを上方から排水ソケット２７の管状部２８に嵌合させつつ、該洋風便器１を仕上げ層３３の上側に配置する。そして、この洋風便器１を、排水ソケット２７の鍔部２９のビス挿通孔３１を介して台座２３にビス（図示略）留めする。
【００８８】
これにより、第１，２図に示す洋風便器設置構造が構築される。
【００８９】
以上のように、この洋風便器設置構造及び方法によっても、プレート２０、台座２３及び短管２５を予め一体化させて一体物Ｕ４としておくため、このプレート２０と台座２３との間、及び内孔２４の内周面と短管２５の外周面との間をそれぞれ十分にシールすることができる。
【００９０】
また、床Ｆの上側からの作業だけでプレート２０等の全ての資材と洋風便器１とを設けることができる。
【００９１】
これにより、作業員が排水溝１０内に入って床スラブ１１の下側からシール作業を行ことなく、床Ｆの上側からの施工作業だけで洋風便器１を容易に、しかもシール性よく設置することができる。
【００９２】
上記の実施の形態は請求項１〜５の洋風便器設置構造及び方法の一例を示すものであり、請求項１〜５の洋風便器設置構造及び方法は図示の構成に限定されない。
【００９３】
例えば、上記の実施の形態では、プレート２０と台座２３との間、台座２３の内孔２４及びプレート２０の開口２２の内周面と短管２５の外周面との間、並びに台座２３の上面と排水ソケット２７の鍔部２９との間を、それぞれ、これら同士を接着した接着剤によりシールしているが、これらの間にそれぞれパッキン等のシール部材を設けてこれらの間をシールするようにしてもよい。
【００９４】
［請求項６の実施の形態に係る和風便器設置方法］  
第１２図は請求項６の実施の形態に係る和風便器設置方法により便器が設置されたトイレルームの断面図である。
【００９５】
この実施の形態では、トイレルームの床Ｆ上に和風便器２が設置されている。
【００９６】
該和風便器２は、トイレルームの床Ｆに埋設される便鉢部２ａと、該便鉢部２ａの上縁から床Ｆの上面（仕上げ層３３の上面）に沿うように側方へ張り出したフランジ２ｂと、該便鉢部２ａの底部に設けられた排水口２ｃと、該便鉢部２ａの前部（和風便器２使用者にとっての前部）から立設された前立て部２ｄとを有している。該フランジ２ｂは、便鉢部２ａの上縁の外周囲の全周にわたって周設されている。
【００９７】
この実施の形態では、排水溝１０を跨ぐように床スラブ１１，１１間に設置されるプレート２０Ａと和風便器２とが予め接着剤４０により一体化されて一体物とされている。
【００９８】
該プレート２２Ａには和風便器係合用開口２２Ａが設けられている。この開口２２Ａに和風便器２の便鉢部２ａが上方から嵌め込まれ、この開口２２Ａの内周面と便鉢部２ａの外面との間に接着剤４０が充填されて和風便器２がプレート２０Ａに接着されている。この接着剤４０は、開口２２Ａの内周面と便鉢部２ａの外面との間に、これらの全周にわたって充填されている。即ち、この接着剤４０により、該開口２２Ａの内周面と便鉢部２ａの外面との間がシールされている。
【００９９】
なお、この和風便器２とプレート２０Ａとの接着を強固なものとし、且つ該開口２２Ａの内周面と便鉢部２ａの外面との間を十分にシールするために、第１２図に示すように、接着剤４０を、開口２２Ａの内側だけでなく、該開口２２Ａの周囲のプレート２０Ａの上面及び下面と便鉢部２ａの外面との間にもそれぞれ充填することが好ましい。
【０１００】
第１２図の通り、和風便器２は、フランジ２ｂがプレート２０Ａの上面から上方へ離隔した状態でプレート２０Ａに接着されている。このフランジ２ｂの下面とプレート２０Ａの上面との間隔Ｓは、各床スラブ１１の凹段部１１ａの深さＤと仕上げ層３３の厚みＴ３との和からプレート２０Ａの厚みＴ１を差し引いた値と略等しい。
【０１０１】
この実施の形態の和風便器設置方法により構築される和風便器設置構造のその他の構成は、第１，２図の便器設置構造と同様であり、第１２図において第１，２図と同一符号は同一部分を示している。
【０１０２】
トイレルームに和風便器２を設置するに当っては、上記のように予め和風便器２と一体化されたプレート２０Ａを、排水溝１０を跨ぐように床スラブ１１，１１間に設置する。このとき、第１，２図の実施の形態と同様に、該プレート２０Ａの両長側辺をそれぞれ上方から各床スラブ１１の凹段部１１ａに重ねて接着剤２１で接着する。
【０１０３】
その後、該プレート２０Ａの上側及び各床スラブ１１の凹段部１１ａ内を埋めるようにモルタル層３２を形成する。次いで、このモルタル層３２の上面及び各床スラブ１１の上面を覆うように仕上げ層３３を形成する。この際、施工後の仕上げ層３３の上面が和風便器２のフランジ２ｂの下面と略同一レベルとなるようにモルタル層３２及び仕上げ層３３が形成される。
【０１０４】
これにより、第１２図に示す和風便器設置構造が構築される。
【０１０５】
以上の通り、この和風便器設置方法によると、プレート２０Ａを排水溝１０に設置するのに先立って和風便器２とプレート２０Ａとを一体化しておくため、和風便器２の外面とプレート２０Ａの開口２２Ａとの間のシールを十分に行うことができる。
【０１０６】
また、トイレルームの床Ｆの上側からの作業だけでプレート２０Ａなどの全ての資材と和風便器２とを設けることができる。
【０１０７】
これにより、作業員が排水溝１０内に入って床スラブ１１の下側からシール作業を行ことなく、床Ｆの上側からの施工作業だけで和風便器２を容易に、しかもシール性よく設置することができる。
【０１０８】
上記の実施の形態は請求項６の和風便器設置構造及び方法の一例を示すものであり、請求項６の和風便器設置構造及び方法は図示の構成に限定されない。
【０１０９】
［洋風便器設置構造の別の構成例］  
第１３図は洋風便器設置構造の別の構成例を示す断面図である。
【０１１０】
この態様では、床スラブ１１，１１間に設置されたプレート２０Ｂは、このプレート２０Ｂが係合した床スラブ１１の凹段部１１ａの深さＤと、該床スラブ１１上に形成された仕上げ層３３の厚みＴ３との和と略等しい厚みＴ１’を有している。
【０１１１】
この態様では、第１３図の通り、モルタル層３２は、該プレート２０Ｂの側面と凹段部１１ａの段差面との間にのみ形成されており、該プレート２０Ｂの上面には形成されていない。また、仕上げ層３３は、該凹段部１１ａの周囲の床スラブ１１の上面からモルタル層３２の上面にかけてのみ形成され、プレート２０Ｂの上面には形成されていない。
【０１１２】
即ち、この態様では、プレート２０Ｂの上面は、トイレルーム内に露呈しており、且つその周囲の仕上げ層３３の上面と略同レベルとなっている。なお、このプレート２０Ｂの上面に、仕上げ層３３と連続するようなタイル張り調などの装飾が施されていてもよい。
【０１１３】
このプレート２０Ｂの中央付近に短管挿通用開口２２が設けられている。この開口２２の周囲には、周囲のプレート２０Ｂの上面よりも一段低い台座設置用凹部２０ａが形成されている。この凹部２０ａは、該開口２２の周囲全周にわたって形成されている。この凹部２０ａの深さは、台座２３の厚みＴ２（第２図）と略同等となっている。
【０１１４】
台座２３は、その内孔２４が開口２２と略同心状に重なるようにこの凹部２０ａ内に配置され、接着剤（図示略）によりこの凹部２０ａの底面に接着されている。この台座２３の側周面と凹部２０ａの段差面と間の隙間には、これらの全周にわたって、プレート２０Ｂの上面と略同レベルまでモルタル５０が充填されている。
【０１１５】
この態様のその他の構成は、前述の第１，２図の実施の形態と同様であり、第１３図において第１，２図と同一符号は同一部分を示している。
【０１１６】
この態様の洋風便器設置構造は、台座２３をプレート２０Ｂの凹部２０ａ内に設置してこれらの間の隙間にモルタル５０を充填すること、並びに該プレート２０Ｂの上にはモルタル層３２及び仕上げ層３３を形成しないこと以外は、前述の第４，５図、第６，７図、第８，９図及び第１０，１１図の各実施の形態と同様の施工手順にて構築することができる。
【０１１７】
この態様の洋風便器設置構造にあっても、第４，５図の実施の形態のように予め台座２３、短管２５及び排水ソケット２７を一体化させて一体物とするか、第６，７図の実施の形態のように予めプレート２０Ｂ、台座２３、短管２５及び排水ソケット２７を一体化させて一体物とするか、第８，９図の実施の形態のように予め台座２３及び短管２５を一体化させて一体物とするか、又は第１０，１１図の実施の形態のように予めプレート２０Ｂ、台座２３及び短管２５を一体化させて一体物としておくことにより、これらの実施の形態と同様、床Ｆの上側からの施工作業だけで洋風便器１を容易に、しかもシール性よく設置することができる。
【０１１８】
また、この態様の洋風便器設置構造にあっては、プレート２０Ｂを各床スラブ１１，１１の凹段部１１ａ上に設置するだけで、プレート２０Ｂの上面がその周囲の仕上げ層３３の上面と同レベルとなり、このプレート２０Ｂ上にモルタル層３２及び仕上げ層３３を形成することが不要であるので、施工作業がより容易化される。
【０１１９】
なお、この態様では、プレート２０Ｂの側周面と凹段部１１ａの段差面との間には、モルタル層３２及び仕上げ層３３が形成されているが、これらの間の部分も、プレート２０Ｂと同じ材質の層が形成されてもよい。
【０１２０】
［洋風便器設置構造のさらに別の構成例］  
第１４図は洋風便器設置構造のさらに別の構成例を示す断面図である。
【０１２１】
この態様は、前述の第１３図の態様において、台座２３が省略され、プレート２０Ｂ上に直接的に排水ソケット２７が設置された構成となっている。
【０１２２】
この態様では、プレート２０Ｂの中央の短管挿通用開口２２の周囲に凹部２０ａが設けられておらず、このプレート２０Ｂの上面は、該開口２２の周縁まで略同レベルとなっている。
【０１２３】
この態様のその他の構成は第１３図の態様と同様であり、第１４図において第１３図と同一符号は同一部分を示している。
【０１２４】
この態様にあっては、台座２３をプレート２０Ｂ上に設置したり、この台座２３と凹部２０ａとの隙間にモルタル５０を充填する作業が不要となるため、洋風便器の設置作業が一層、容易化される。
【図面の簡単な説明】
【０１２５】
【図１】請求項１の実施の形態に係る便器設置構造を備えたトイレルームの断面図である。
【図２】図１の便器設置構造の断面図である。
【図３】図１の便器設置構造を構成するプレート２０、台座２３、短管２５及び排水ソケット２７の分解斜視図である。
【図４】台座２３、短管２５及び排水ソケット２７を一体化させた一体物Ｕ１とプレート２０との分解斜視図である。
【図５】図４の一体物Ｕ１をプレート２０上に設置する直前のトイレルームの断面図である。
【図６】プレート２０、台座２３、短管２５及び排水ソケット２７を一体化させた一体物Ｕ２の斜視図である。
【図７】図６の一体物Ｕ２を床スラブ１１，１１間に設置する直前のトイレルームの断面図である。
【図８】台座２３及び短管２５を一体化させた一体物Ｕ３と、プレート２０及び排水ソケット２７との分解斜視図である。
【図９】図８の一体物Ｕ３をプレート２０上に設置する直前のトイレルームの断面図である。
【図１０】プレート２０、台座２３及び短管２５を一体化させた一体物Ｕ４と排水ソケット２７との分解斜視図である。
【図１１】図１０の一体物Ｕ４を床スラブ１１，１１間に設置する直前のトイレルームの断面図である。
【図１２】請求項６の実施の形態に係る和風便器設置方法により便器が設置されたトイレルームの断面図である。
【図１３】洋風便器設置構造の別の構成例を示す断面図である。
【図１４】洋風便器設置構造のさらに別の構成例を示す断面図である。
【符号の説明】
【０１２６】
１  洋風便器
２  和風便器
１ａ  排水口
１０  排水溝
１１  床スラブ
１１ａ  凹段部
２０，２０Ａ，２０Ｂ  プレート
２０ａ  凹部
２２，２２Ａ  短管挿通用開口
２３  台座
２４  台座の内孔
２５  短管
２６  接着剤
２７  排水ソケット
２８  管状部
２９  鍔部
３２  モルタル層
３３  仕上げ層
４０  接着剤
【図１】
0005104519.tif 000002
【図２】
0005104519.tif 000003
【図３】
0005104519.tif 000004
【図４】
0005104519.tif 000005
【図５】
0005104519.tif 000006
【図６】
0005104519.tif 000007
【図７】
0005104519.tif 000008
【図８】
0005104519.tif 000009
【図９】
0005104519.tif 000010
【図１０】
0005104519.tif 000011
【図１１】
0005104519.tif 000012
【図１２】
0005104519.tif 000013
【図１３】
0005104519.tif 000014
【図１４】
0005104519.tif 000015